(57)【要約】【課題】  ウェブページ閲覧機能を備えたテレビジョン受像機において、テレビジョン番組とブラウザ画面の表示切換えを効率よく行なう。【解決手段】  外部ウェブサーバ１２１と通信が確立して、ブラウザ１１７が立上っている状態において、テレビジョン番組とブラウザ画面の表示部１１０での表示をそれぞれ単独で行なうか、同時に複数画面表示で行なうかを切換えるように構成する。さらに、テレビジョン番組のみの表示に切換えた場合、インターネット接続継続中を示す指標を画面表示する。さらに複数の画面表示に切換えた際に、各画面がいかなるものか説明する指標と、音声が出力されている画面を示す指標を表示するように構成した。【選択図】  図１
2005217919.tif 000002
【特許請求の範囲】
【請求項１】
テレビジョン信号を受ける受信手段と、
通信手段によって外部ウェブサイトからウェブページの情報を取得して表示可能なブラウザ画面を構築する情報取得手段と、
表示手段と、
前記受信手段でテレビジョン信号が受信されかつ前記情報取得手段で前記ブラウザ画面が構築されている状態において、前記受信手段によるテレビジョン信号の映像信号に基づく映像を前記表示手段で表示する第１の表示形態と、前記情報取得手段で構築されたブラウザ画面に基づく映像を前記表示手段で表示する第２の表示形態と、前記テレビジョン信号の映像信号に基づく映像と前記ブラウザ画面に基づく映像の両方を複数画面として前記表示手段で表示する第３の表示形態とを切換える表示切換え手段と、
を具備したことを特徴とするテレビジョン受像機。
【請求項２】
前記表示切換え手段は、前記第1の表示形態と、前記第２の表示形態と、前記第３の表示形態を順次サイクリックに切換えるものであることを特徴とする請求項１に記載のテレビジョン受像機。
【請求項３】
前記表示切換え手段によって、前記第１の表示形態に切換えられた際に、前記ウェブサイトとの接続が継続中であることを示す指標を前記表示手段で表示する制御手段を備えたことを特徴とする請求項１に記載のテレビジョン受像機。
【請求項４】
前記表示切換え手段によって、前記第３の表示形態に切換えられた際に、前記複数の画面の映像がテレビジョン信号の映像信号に基づく映像であるか前記ブラウザ画面の映像であるかを区別する指標を前記表示手段に表示する制御手段を備えたことを特徴とする請求項１に記載のテレビジョン受像機。
【請求項５】
さらに前記テレビジョン信号の音声信号に基づく音声と、前記ウェブページに含まれる音声信号に基づく音声を選択的に出力する音声切換出力手段を備え、前記表示切換え手段によって、前記第３の表示形態に切換えられた際に、前記音声切換手段を制御して、前記音声信号のいずれかを選択してそれに基づく音声を出力すると共に、いずれの音声が出力されているかを示す指標を前記表示手段に表示する制御手段を備えたことを特徴とする請求項１に記載のテレビジョン受像機。
【発明の詳細な説明】
【技術分野】
【０００１】
本発明は、放送を受信して番組を視聴するためのテレビジョン受像機に関し、特に、インターネットを介して外部ウェブサイトにアクセスしてウェブページを画面表示させる機能を備えたテレビジョン受像機に関する。
【背景技術】
【０００２】
テレビジョン放送においては、放送形態がアナログからデジタルに移行しつつあり、それに伴って、放送番組の視聴も放送局から提供される情報をもっぱら受身の形で受ける形態から、視聴者が電話回線を介して放送局に対して応答を行なうことのできる双方向型の形態になりつつある。
【０００３】
一方で、一般家庭において、パソコンでインターネットを介して外部ウェブサイトにアクセスして情報を画面表示させて閲覧を行なうということが広く普及してきている。
【０００４】
このように、デジタルテレビジョン放送番組の視聴と、インターネットのウェブページの閲覧は、異なる提示手段で行なわれており、放送番組を視聴する際には、テレビジョン受像機を使い、インターネットでアクセスする場合には、パソコンを使うという使い分けが行なわれているのが実状である。
【０００５】
しかしながら、それぞれの装置においは、表示手段を備える他、電話回線を使って外部と通信を行なう機能を備えており、あえて使い分けをせずに、例えばデジタルテレビジョン受像機に、さらにインターネットに接続してウェブページの閲覧を行なうためのブラウザを装備して、放送番組の視聴とインターネットの閲覧を１台のテレビジョン受像機で行なえるように構成すれば、使い勝手が向上することは明らかである。
【０００６】
従来、テレビジョン受像機で、インターネットのウェブページの閲覧も行なうことができるようにした提案がいくつか成されており、例えば特許文献１には、インターネット接続装置を備えたテレビジョン受信機において、インターネットの所定のウェブページに接続処理中の状態と、接続を完了した状態とで、画面表示を切換えるようにした提案が示されている。
【０００７】
すなわち、この特許文献１では、インターネットの接続処理中には、インターネット画面とテレビジョン映像とを同時に表示させ、インターネットの接続処理が終了したらインターネット画面のみを表示するようにした提案が示されている。また、この特許文献１には、インターネット画面とテレビジョン映像の表示切換えを時間で管理するという提案も開示され、さらに、インターネット接続処理中に、テレビジョン映像のみを表示させ、接続完了後に、インターネット画面表示に切換えるという提案も示されている。さらに、インターネット接続処理中に、接続処理中であることを示す表示を行なうことも開示されている。
【０００８】
以上のように特許文献１においては、インターネット閲覧機能を備えたテレビジョン受信機において、インターネット接続処理中の画面表示をいかに適切に行なって、使い勝手を向上させるかということに主眼を置いて提案が成されており、インターネット通信速度が遅い環境においてはそれなりの効果は期待できる。
【０００９】
しかしながら、一般家庭にも高伝送速度のＤＳＬ（Digital Subscriber Line）や光ファイバーを用いて外部ウェブサイトと接続する環境が普及しつつあり、インターネットの通信速度は格段に速くなってきている。加えて、廉価な価格でインターネットの常時接続を提供するプロバイダも出現してきており、インターネットアクセス環境は高水準なものとなっている。
【００１０】
したがって、インターネット接続処理も、それほどストレスを与えることなく実行可能な状況に成りつつあり、ユーザにとっては、インターネット接続処理中の画面表示をどうするかよりも、接続が完了した後での使い勝手を良くするという提案の方が、より現実性を持ったものとして受け入れられると思われるが、そのような提案はなされていなかった。
【特許文献１】特開平１０−４２２０５号公報（第６，７頁、図１，５，６）
【発明の開示】
【発明が解決しようとする課題】
【００１１】
以上のように、従来、通信回線を介してインターネットのウェブサイトにアクセスしてウェブページを画面表示させる機能を備えたテレビジョン受像機においては、インターネットへの接続が完了した後においてテレビジョン放送画面とインターネット画面の表示の切換えを機能的に行なうという観点での提案が成されておらず、操作性の点で改善の余地がった。
【００１２】
本発明は、以上の点に鑑みてなされたものであり、インターネットに接続された状態において、テレビジョン番組画面とインターネット画面の切換えを、機能的かつスムーズに実行できるようにしたテレビジョン受像機を提供することを目的とする。
【課題を解決するための手段】
【００１３】
本発明のテレビジョン受像機は、テレビジョン信号を受ける受信手段と、通信手段によって外部ウェブサイトからウェブページの情報を取得して表示可能なブラウザ画面を構築する情報取得手段と、表示手段と、前記受信手段でテレビジョン信号が受信されかつ前記情報取得手段で前記ブラウザ画面が構築されている状態において、前記受信手段によるテレビジョン信号の映像信号に基づく映像を前記表示手段で表示する第１の表示形態と、前記情報取得手段で構築されたブラウザ画面に基づく映像を前記表示手段で表示する第２の表示形態と、前記テレビジョン信号の映像信号に基づく映像と前記ブラウザ画面に基づく映像の両方を複数画面として前記表示手段で表示する第３の表示形態とを切換える表示切換え手段と、を具備したことを特徴とする。
【発明の効果】
【００１４】
本発明によれば、外部ウェブサイトと通信が確立して、ブラウザが立上っている状態において、テレビジョン番組あるいはブラウザ画面をそれぞれ単独で表示させる表示形態と、それらを画面を分割して同時に表示する複数画面表示形態とを簡単に切換えられるように構成し、さらにテレビジョン番組を単独で表示する際に、インターネットの接続が継続中であることをアイコンで画面表示するようにし、加えて複数画面表示形態において、テレビジョン番組とブラウザ画面とを区別できる指標と、音声の出力源を区別できる指標とを表示するようにしたので、簡単かつ確実に表示画面を切換えることができるようになるものである。
【発明を実施するための最良の形態】
【００１５】
以下、図面を参照しながら本発明のテレビジョン受像機の一実施の形態を詳細に説明する。  
図１は、本発明のテレビジョン受像機１００の一実施の形態を示す回路ブロック図である。図１において、１０１はアンテナであり、放送電波をキャッチして放送信号として導出する。アンテナ１０１からの放送信号は、アンテナ入力端子１０２を介してチューナ１０３に供給され、ここでチャンネルの選局が行なわれる。チューナ１０３で選局されたチャンネルの受信信号は復調部１０４に供給されて復調されて、さらに誤り訂正等の処理を施され、ＭＰＥＧ（Moving Picture Experts Group）２のＴＳ（Transport Stream）としてデマルチプレクサ１０５に供給される。
【００１６】
デマルチプレクサ１０５では、ＴＳを構成する各種パケットをパケット毎に分離抽出して出力する。例えば番組を構成するＰＥＳ（Packetized Elementary Stream）は、デコーダ１０６に供給されて、ここでデコードされる。ＰＥＳに含まれる映像パケットは例えばＭＰＥＧ２規格に基づいて復号されて、非圧縮のデジタル映像信号としてグラフィック処理部１０７に導出される。
【００１７】
グラフィック処理部１０７には、ＯＳＤ（On Screen Display）信号生成部１０８からのＯＳＤ信号も供給されており、デコーダ１０６からのデジタル映像信号に、ＯＳＤ信号生成部１０８で生成されるＯＳＤ信号を重畳して出力する。あるいは、グラフィック処理部１０７は、デコーダ１０６の出力と、ＯＳＤ信号生成部１０８の出力を択一的に切換えて出力するか、または両出力がそれぞれ画面の半分を構成するように組合わせて出力する。
【００１８】
グラフィック処理部１０７の出力は映像信号処理部１０９に供給され、ここで適宜処理が施された後、表示部１１０に供給されてその画面に表示される。
【００１９】
また、デコーダ１０６は、ＰＥＳに含まれる音声パケットもデコードして非圧縮のデジタル音声信号として音声信号処理部１１１に出力する。音声信号処理部１１１によって音声信号に適宜処理を施した後、スピーカ等で構成される音声出力部１１２から音声として出力する。音声信号処理部１１１は、デコーダからのデジタル音声信号と、後述するＨＴＭＬ（Hypertext Markup Language）の音声信号を択一的に切換え選択して出力する機能を有するが詳細は後述する。
【００２０】
以上のようにして、放送番組を受信して、その視聴をすることが可能となるが、実際の放送番組の視聴には、例えばチューナ１０３による選局チャンネルの特定等、テレビジョン受像機１００を構成する各部の動作、機能を調整する必要があり、そのために制御部１１３が設けられている。
【００２１】
制御部１１３は、例えばＭＰＵ（Micro Processing Unit）で構成され、チューナ１０３のチャンネル切換え、デマルチプレクサ１０５のパケット分離抽出、デコーダ１０６の復号、グラフィック処理部１０７、ＯＳＤ信号生成部１０８、映像信号処理部１０９及び音声信号処理部１１１の制御等を行なう。
【００２２】
このため、制御部１１３には、各種処理プログラムが格納されたＲＯＭ（Read Only Memory）１１４、ワークメモリとしてのＲＡＭ（Random Access Memory）１１５の他、設定用のデータを保存するための不揮発性メモリ１１６が接続されている。
【００２３】
また、ＲＯＭ１１４には、ＨＴＭＬブラウザのプログラムが格納されており、制御部１１３では、後述する外部ウェブサイトから読み込んだウェブページのデータをそのブラウザプログラムに基づいて変換して、表示画面を構築し、それをＯＳＤ信号生成部１０８を介してグラフィック処理部１０７に導出する機能を有しており、制御部１１３の中にＨＴＭＬブラウザ１１７としてブロックで示している。なお、ＨＴＭＬブラウザ１１７は、アクセスしたウェブページに含まれる音声情報を再生する機能も自らのアプリケーションの一部として具備しているか、あるいはＲＯＭ１１４に蓄積された専用アプリケーションを利用することで可能となるように構成されているものである。
【００２４】
ＲＯＭ１１４には、以上のような各種アプリケーションソフトの他、ＯＳＤ信号生成部１０８でＯＳＤ信号を生成するための、文字、記号、キャラクタ等のデータも保存されている。
【００２５】
さらに、制御部１１３には、通信Ｉ／Ｆ（Interface）１１８が、通信端子１１９との間に接続されており、この通信Ｉ／Ｆ１１８を介してインターネット１２０と接続されて、インターネット１２０に接続された外部ウェブサーバ１２１にアクセス可能となるように構成されている。通信Ｉ／Ｆ１１８は、例えばＴＣＰ／ＩＰ（Transmission Control Protocol/Internet Protocol）に準拠した通信機能を備えたモデムを含む。
【００２６】
さらに、制御部１１３には、赤外線受光部１２２と操作入力部１２３が接続されており、赤外線受光部１２２は、リモートコントローラ１２４からのリモコン信号を受けてこれを制御部１１３に導出する。また、操作入力部１２３は、テレビジョン受像機１００の例えば前面パネルに設けられた複数のスイッチで構成され、リモートコントローラ１２４と併せて、ユーザがテレビジョン受像機１００の機能の切換え、調整、動作設定等を行なう際に操作されるものである。
【００２７】
図２にリモートコントローラ１２４のキー配置の例を示す。図２に示すように、リモートコントローラ１２４は、地上波放送のチャンネル切換え、あるいは数字／文字データ入力時等に使用する数字キー２０１を有する。数字キー２０１は、１〜１２のキーで構成され、さらにそれらキーに対してかな文字とアルファベットが割り当てられている。例えば数字「１」が付されたキーは、あ行のかな（ひらがな、カタカナ）文字と、アルファベットのＡＢＣ及びその小文字が入力可能である。
【００２８】
さらにリモートコントローラ１２４は、画面上の項目を選択するためのカーソルキー２０２と、カーソル２０２で選択した項目を登録するための決定キー２０３を有し、さらに、チャンネルをアップ／ダウン選局するためのチャンネルアップ／ダウンキー２０４と、音量を増大させ、または減少させるための音量調整キー２０５と、受像機１００の電源をオン／オフするための電源キー２０６を有する。
【００２９】
さらにリモートコントローラ１２４は、通信Ｉ／Ｆ１１８を起動して外部ウェブサーバ１２１にアクセスすると共に、ＨＴＭＬブラウザを立ち上げるためのインターネットキー２０７と、処理を終了させる終了キー２０８と、表示画面を戻す際等に使用する戻るキー２０９と、テレビジョン受信映像を表示させるためのテレビキー２１０を備え、さらに各種機能を設定するためのメニューを画面表示させるためのメニューキー２１１と、二画面表示を制御するための二画面キー２１２と、音声を切換えるための音声切換キー２１３を備える。
【００３０】
以上のように構成されたテレビジョン受像機１００において、放送番組を視聴するには、ユーザは数字キー２０１を操作して直接チャンネル番号を入力するかあるいはチャンネルアップ／ダウンキー２０４を操作して所望のチャンネルの選局を実行させるべく、リモートコントローラ１２４からリモコン信号を赤外線受光部１２２を介して制御部１１３に送出する。
【００３１】
制御部１１３はそれを受けて、チューナ１０３に対して選局信号を導出し、所定のチャンネルの選局を実行させ、さらにそのチャンネルの受信信号のＰＥＳをデマルチプレクサ１０５で分離抽出させて、デコーダ１０６に導出させる。
【００３２】
デコーダ１０６で映像及び音声のＰＥＳを復号して、映像信号についてはグラフィック処理部１０７、映像処理部１０９を介して表示部１１０で表示させ、音声信号については音声信号処理部１１１を介して音声出力部１１２から音声として出力する。それによって、チューナ１０３で選局されたチャンネルで放送されている番組の視聴が行なわれる。
【００３３】
次に、インターネットにアクセスする場合には、リモートコントローラ１２４のインターネットキー２０６を操作する。それによって、制御部１１３が、赤外線受光部１２２を介してリモコン信号を受け、通信イＩ／Ｆ１１８を起動する。その結果、通信Ｉ／Ｆ１１８は、電話回線を介してインターネット１２０に接続し、ウェブサーバ１２１との間で通信を確立する。
【００３４】
さらに制御部１１３は、ＨＴＭＬブラウザ１１７を立ち上げ、ウェブサーバ１２１の予め登録されているＵＲＬ（Uniform Resource Locator）アドレスのウェブページ（ホーム）へのアクセス処理を行なって、そのページを構成するデータを取り込んで、ＲＡＭ１１５をワークエリアとしてブラウザ画面を構築する。
【００３５】
さらに構築したブラウザ画面を、ＯＳＤ信号生成部１０８を介して、グラフィック処理部１０７に導出し、映像信号処理部１０９から表示部１１０に供給して画面表示させる。
【００３６】
図３は、ブラウザ画面の表示例を示すものである。図に示すように、表示部１１０には、ブラウザ画面３０１が表示されている。このような表示画面において、他のウェブページを閲覧するには、リモートコントローラ１２４の数字キー２０１でＵＲＬアドレスを入力して決定キー２０３を操作することでそのページへのアクセスが実行され、画面されるようになる。
【００３７】
あるいは、表示されているウェブページにリンク項目が存在する場合には、リモートコントローラ１２４のカーソルキー２０２を適宜操作して、そのリンク項目にカーソルを移動させ、決定キー２０３を操作することで、リンクページへのアクセスとそのウェブページの画面表示を実行させることが可能である。
【００３８】
さらに、ブラウザの制御項目を示すアイコンにカーソルを移動させて、決定キー２０３を操作することで、表示ページを戻したり、進めたり、更新させたり、ページ検索させたりすることも可能である。
【００３９】
図３に示す状態において、制御部１１３は、音声信号処理部１１１をブラウザ画面の音声信号を出力するように切換えており、ウェブページに音声情報が含まれる場合には、それが制御部１１３から音声信号処理部１１１に導出され、音声出力部１１２から音声として出力される。
【００４０】
お気に入りのウェブページが存在する場合、それを保存させることが可能である。すなわち、画面の「お気に入り」項目にカーソルを合せて、決定キー２０３を操作することで、例えば図４に示すように、お気に入りページとして追加されますというメッセージ４０１を表示させ、「ＯＫ」にカーソルを移して決定キー２０３を操作することで、そのページのＵＲＬアドレスを登録することが可能である。
【００４１】
制御部１１３は、お気に入りメッセージ４０１の「ＯＫ」が選択されたことで、そのウェブページのＵＲＬアドレスを不揮発性メモリ１１６に記憶させる。不揮発性メモリ１１６に記憶されたお気に入りページのＵＲＬアドレスは、読み出して表示させ、カーソルで選択することが可能である。
【００４２】
次に、図３に示すブラウザのみの画面から、チューナ１０３で受信されたチャンネルの映像画面を表示するには、インターネットの接続を切断する手順と、インターネットの接続を継続させた状態で、テレビジョン番組の映像に切換える手順の２通りがある。
【００４３】
インターネットの接続を切断する場合には、リモートコントローラ１２４の終了キー２０８を操作すると、制御部１１３がそれを受けて、通信Ｉ／Ｆ１１８によるウェブサーバ１２１との通信を停止し、さらにＨＴＭＬブラウザ１１７を立ち下げる。それによって、チューナ１０３で選局されたチャンネルの映像信号が表示部１１０で表示され、かつ、番組の音声が音声出力部１１２から出力される。
【００４４】
インターネットの接続を継続させた状態で、テレビジョン放送の視聴に切換える場合、リモートコントローラ１２４のテレビキー２０９を操作する。それによって、制御部１１３は、接続中のＨＴＭＬブラウザ１１７のＵＲＬアドレスを保持させ、かつグラフィック処理部１０７をデコーダ１０６の出力を映像信号処理部１０９に導出するように制御し、さらに音声信号処理部１１１をデコーダ１０６からの音声信号を処理するように制御する。
【００４５】
さらにこのとき、制御部１１３は、インターネットが接続されたままであることを示すアイコンを、ＯＳＤ信号生成部１０８で生成して、これをグラフィック処理部１０７に導出して、デコーダ１０６からの映像信号に重畳させる。
【００４６】
その結果、表示部１１０には、図５に示す映像が表示される。すなわち、テレビジョン番組映像５０１に対して、左下隅にインターネット接続中であることを示すアイコン５０２が表示されている。
【００４７】
なお、図５の実施の形態においては、アイコン５０２がテレビジョン番組映像５０１に重なるように表示されており、アイコンの５０２によって映像が欠けてしまうことになる。番組映像５０１の重要な部分が欠けてしまっては、問題があるので、インターネットアイコン５０２を画面の上の自由な位置に移動させるように構成することも可能である。例えば、リモートコントローラ１２４のカーソルキー２０２によって、インターネットアイコン５０２を画面上で移動させることは可能である。
【００４８】
また、テレビジョン番組映像５０１の表示部１１０での寸法を縮小し、テレビジョン番組映像の外にインターネットアイコンを表示させるようにすれば、番組映像が欠けてしまうような問題は発生しない。
【００４９】
図６は、インターネットアイコンがテレビジョン番組映像と重ならないようにした例を示すものである。図に示すように、テレビジョン番組映像６０１が縮小され、インターネットアイコン６０２は、番組映像６０１の外に表示されている。
【００５０】
図５，６に示す状態からブラウザ画面表示に切換える場合には、リモートコントローラ１２４のインターネットキー２０７を操作する。それによって制御部１１３は、グラフィック処理部１０７と音声信号処理部１１１を制御して、ブラウザ画面を表示し、その音声を出力するように切換える。なお、切換えられたブラウザ画面は、当然ながらテレビジョン番組表示に切換えられる前に閲覧していたウェブページを表示するものである。
【００５１】
なお、インターネットが接続されたままであることを示すアイコンをＧＵＩ（Graphical User Interface）形式とすることもでき、それによれば、リモートコントローラ１２４のカーソルキー２０２を操作してカーソルをアイコン５０２に合せて決定キー２０３を操作することで、図３に示すブラウザの画面に瞬時に切換えることが可能である。ＧＵＩ形式のアイコンは、制御部１１３によってＯＳＤ信号生成部１０８で生成することが可能である。
【００５２】
また、テレビジョン放送の受信映像とブラウザ画面を同時に表示させることも可能であり、例えば図３に示す状態からリモートコントローラ１２４の二画面キー２１２を操作すると、制御部１１３はこれを受けてグラフィック処理部１０７を、表示部１１０に図７に示すように、ブラウザ画面７０１とテレビジョン番組映像７０２が、画面半分づづ表示されるように制御する。
【００５３】
さらに、このとき、制御部１１３は、ＯＳＤ信号生成部１０８を駆使して、「インターネット」と「テレビ」という文を構成するＯＳ信号を生成して、グラフィック処理部１０７に送り、画面上ブラウザ画面７０１に対応して「インターネット」７０３が表示され、テレビジョン番組映像７０２に対応して「テレビ」７０４が表示されるようする。それによつて、ブラウザ画面とテレビジョン番組映像とを一目で区別することができるようになる。
【００５４】
ブラウザ画面とテレビジョン番組映像を同一画面で表示している状態において、音声は、ブラウザ画面及びテレビジョン番組映像のどちらか一方のものが出力されるように設定されるが、いずれの音声であるかを示すために、マーキングを行なうように構成している。
【００５５】
図７では、「テレビ」７０４の表示に隣接して音符マーク７０５が表示され、音声がテレビジョン番組のものであることを示している。音符マーク７０５も、制御部１１３の制御の下、ＯＳＤ信号生成部１０８で生成されて、グラフィック処理部１０７で画面の所定位置に重畳される。
【００５６】
音声をブラウザ画面のものに切換える場合は、リモートコントローラ１２４の音声切換キー２１３を操作する。制御部１１３がそれを受けて、音声信号処理部１１１をブラウザ画面の音声を選択するように切換える。これによってブラウザ画面の音声が出力される。同時に、音符マーク７０５の表示位置を「インターネット」７０３に隣接した位置に移動させる。以下同様にして、音声切換２１３キーを押す度に、音声の切換えを行なうことができるものである。
【００５７】
図７に示す状態から、リモートコントローラ１２４の二画面キー２１２を操作すると、図５に示すテレビジョン番組映像の画面になり、リモートコントローラ１２４の二画面キー２１２をもう一度操作すると、図３に示すブラウザ画面となり、さらに二画面キー２１２を操作すると図７に示す二画面表示に戻り、以下同様に表示を順次サイクリックに切換えることが可能である。
【００５８】
あるいはまた、図７に示す状態から、二画面キー２１２を操作することで、音声が出力されている方の映像のみの表示に切換えるように設定することも可能である。図７の状態では、図５に示すテレビジョン番組映像に切換えられる。再び二画面キー２１２を操作することで、図７の状態に戻り、音声切換キー２１３で音声をブラウザ画面に切換えてから、二画面キー２１２を操作することで、図３に示す状態に切換わる。
【００５９】
テレビジョン受像機１００の電源をオフした際に、画面表示状態を不揮発性メモリ１１６に記憶させておいて、電源投入時に、電源オフの直前の状態に復元させるように構成することも可能である。
【００６０】
すなわち、電源オフ時のチューナ１０３の選局チャンネル、インターネット接続の有無、接続有り場合のＵＲＬアドレス、画面表示がテレビジョン番組表示かブラウザ画面表示か二画面表示か等の各項目を不揮発性メモリ１１６に記憶させておいて、電源投入時に、その状態を復元させるように構成することも可能である。
【００６１】
図８は、以上説明した受像機１００の動作を説明するためのフローチャートである。図８において、ステップＳ８０１で処理を開始し、ステップＳ８０２で所望の放送チャンネルを受信して番組映像を表示する。
【００６２】
次いで、ステップＳ８０３でインターネット接続要求があったか否かの判定が成され、インターネット接続要求があった場合には、ステップＳ８０４でインターネットによるウェブサーバとの接続を確立し、ＨＴＭＬブラウザを立ち上げると共に、番組映像表示に代えて、所望のＵＲＬアドレスのウェブページを画面表示する。
【００６３】
次いで、ステップＳ８０５でテレビジョン番組映像表示要求があったか否かの判定が成され、要求があった場合ステップＳ８０６で画面表示をインターネットアイコン付き番組映像表示に切換える。次いで、ステップＳ８０７で受像機１００の電源がオフされたか否かの判定が成され、オフとなった場合には、ステップＳ８０８で所定情報（例えば電源オフの直前にアクセスしていたインターネットのＵＲＬアドレス及びチューナの受信チャンネル）を不揮発性メモリ１１６に記憶してステップＳ８０９で処理を終了する。
【００６４】
ステップＳ８０５で、テレビジョン番組映像表示要求がなかったと判定された場合、ステップＳ８１２に移って、二画面表示要求の有無を判別し、要求があった場合にはステップＳ８１１で、テレビジョン番組とブラウザ画面の二画面表示に切換える。
【００６５】
次いで、電源がオフされたか否かの判定が成され、オフされた場合にはステップＳ８０８に移って所定情報（この場合、例えばＵＲＬアドレスと受信チャンネル番号と、二画面表示という情報）を記憶させて処理を終了する。
【００６６】
電源がオンの状態において、ステップＳ８１３でブラウザ画面のみの表示要求があったかあるいはステップＳ８１４でテレビジョン番組のみの表示要求があったか否かの判定が成される。
【００６７】
ブラウザ画面のみの表示要求があった場合、ステップＳ８１５でブラウザ画面表示に切換え、次いでステップＳ８１６で電源がオフされたか否かの判定が成されて、オフされた場合、ステップＳ８０８を経て処理を終了する。また、電源がオフされない状態において、ステップＳ８１６で二画面表示要求があったか否かの判定が成され、要求があった場合ステップＳ８１１に戻る。また、二画面表示要求がなかった場合には、ステップＳ８１４に戻る。
【００６８】
ステップＳ８１４でテレビジョン番組の表示要求があったと判定された場合には、ステップＳ８１８で番組表示画面に切換え、次いでステップＳ８１９で電源がオフになったか否かの判定が成され、オフされた場合には、ステップＳ８０８を経て処理を終了する。
【００６９】
電源オンの状態において、ステップＳ８２０で二画面表示要求があったか否かの判定が成され、要求があった場合には、ステップＳ８１１に戻り、要求がなかった場合には、ステップＳ８１３に戻る。
【００７０】
さらに、ステップＳ８０７で電源がオンと判定されている状態において、ブラウザ画面のみの表示要求があったか、二画面表示要求があったか否かがステップＳ８２１，Ｓ８２２で判定され、ブラウザ画面のみの表示要求があった場合には、ステップＳ８１５に移り、二画面表示要求があった場合には、ステップＳ８１１に移って処理を継続することになる。
【００７１】
なお、テレビョン受像機１００の電源投入時に、不揮発性メモリ１１６に記憶された、電源オフ直前の状況を復元するか否かは、例えば、テレビジョン受像機１００初期設定によって選択することが可能である。例えば、リモートコントローラ１２４のメニューキー２１１を操作することで初期設定画面を表示させ、カーソルキー２０２と決定キー２０３を操作して設定登録することが可能である。
【００７２】
以上のように本発明のテレビジョン受像機においては、インターネットによるウェブサイトとの通信が確立し、かつＨＴＭＬブラウザが立上っている状態において、テレビジョン番組の表示とブラウザ画面の表示をそれぞれ単独で行なうか、それらの表示を同時に複数画面表示という形態で行なうかを、リモートコントローラのキー操作で簡単に実行させることができるものである。
【００７３】
さらに、インターネットへの接続を確保したまま、テレビジョン番組のみの表示に切換えると、インターネットへの接続が継続中であることを示すアイコンを表示するようにしたので、ユーザがインターネットのブラウザ画面表示に切換える際に、新たな接続処理が必要か否かが一目で判別できるので、スピーディーで迅速な画面表示切換えを実行することができるものである。
【００７４】
さらに、ブラウザ画面とテレビジョン番組の二画面表示をしている際に、各画面毎に、それぞれブラウザ画面であることを示すメッセージ表示とテレビジョン番組の画面であることを示すメッセージ表示を行なうようにし、加えて、二画面表示状態で出力されている音声が、いずれの画面のものであるかを示す画面表示を行なうようにしたので、表示画面の切換えを確実かつ簡単に行なうことができるものである。
【００７５】
なお、本発明は以上説明した実施の態様に限定されるものではなく、趣旨を逸脱しない範囲で変更可能である。例えば、図５，６に示す、インターネットアイコン５０２，６０２は、アイコンではなく、文字によって表示させるように構成してもよい。
【００７６】
また、図７に示す「インターネット」７０３、「テレビ」７０４も、文字でなく、マーク記号等であってもよく、さらに音符マーク７０５についてもマークでなく、文字表示するように構成することができるものである。
【図面の簡単な説明】
【００７７】
【図１】本発明に係るテレビジョン受像機の一実施の形態を示す回路ブロック図。
【図２】図１のテレビジョン受像機に適用されるリモートコントローラのキー配置の一例を示す図。
【図３】図１のテレビジョン受像機で表示されるブラウザ画面の一例を示す図。
【図４】図１のテレビジョン受像機で表示されるブラウザ画面の他の例を示す図。
【図５】図１のテレビジョン受像機におけるテレビジョン番組の表示の一例を示す図。
【図６】図１のテレビジョン受像機におけるテレビジョン番組の表示の他の例を示す図。
【図７】図１のテレビジョン受像機におけるブラウザ画面とテレビジョン番組の二画面表示状態を示す図。
【図８】図１のテレビジョン受像機の動作を説明するためのフローチャート。
【符号の説明】
【００７８】
１００…テレビジョン受像機
１０１…アンテナ
１０２…アンテナ入力端子
１０３…チューナ
１０４…復調部
１０５…デマルチプレクサ
１０６…デコーダ
１０７…グラフィック処理部
１０８… ＯＳＤ信号生成部
１０９…映像信号処理部
１１０…表示部
１１１…音声信号処理部
１１２…音声出力部
１１３…制御部
１１４…ＲＯＭ
１１５…ＲＡＭ
１１６…不揮発性メモリ
１１７…ＨＴＭＬブラウザ
１１８…通信Ｉ／Ｆ
１１９…通信端子
１２０…インターネット
１２１…ウェブサーバ
１２２…赤外線受光部
１２３…操作入力部
１２４…リモートコントローラ
【図１】
2005217919.tif 000003
【図２】
2005217919.tif 000004
【図３】
2005217919.tif 000005
【図４】
2005217919.tif 000006
【図５】
2005217919.tif 000007
【図６】
2005217919.tif 000008
【図７】
2005217919.tif 000009
【図８】
2005217919.tif 000010